(57)【要約】【課題】機器が、好ましいアクセスポイントに接続できない可能性を低減できる技術を提供する。【解決手段】表示装置の制御方法は、前記表示装置がアクセスポイントと接続していない第１状況において、前記第１状況を示す第１状況情報を送信することと、前記第１状況情報が電子機器によって受信されており且つ前記電子機器がアクセスポイントと接続していない状況において、アクセスポイントとして動作することを指示する指示を、前記電子機器から受信することと、前記指示の受信に応じて、第１アクセスポイントとして動作することと、前記第１アクセスポイントとして動作する場合、前記第１アクセスポイントに接続するための第１接続情報を、前記電子機器に送信することと、を含む。【選択図】図５
2020096305.tif 000002
【特許請求の範囲】
【請求項１】
表示装置の制御方法であって、
前記表示装置がアクセスポイントと接続していない第１状況において、前記第１状況を示す第１状況情報を送信することと、
前記第１状況情報が電子機器によって受信されており且つ前記電子機器がアクセスポイントと接続していない状況において、アクセスポイントとして動作することを指示する指示を、前記電子機器から受信することと、
前記指示の受信に応じて、第１アクセスポイントとして動作することと、
前記第１アクセスポイントとして動作する場合、前記第１アクセスポイントに接続するための第１接続情報を、前記電子機器に送信することと、
を含む表示装置の制御方法。
【請求項２】
前記第１状況情報と、前記指示と、前記第１接続情報とは、近距離無線通信で通信される、
請求項１に記載の表示装置の制御方法。
【請求項３】
前記電子機器は、前記第１接続情報の受信に応じて、前記第１接続情報を用いて前記第１アクセスポイントに接続する、
請求項１または２に記載の表示装置の制御方法。
【請求項４】
前記第１接続情報は、前記第１アクセスポイントの識別情報と、前記第１アクセスポイントと接続するために必要なパスワードと、を含む、
請求項１から３のいずれか１項に記載の表示装置の制御方法。
【請求項５】
前記表示装置が前記第１アクセスポイントとは異なる第２アクセスポイントと接続している第２状況において、前記第２アクセスポイントに接続するための第２接続情報を送信すること、
を含む請求項１から４のいずれか１項に記載の表示装置の制御方法。
【請求項６】
前記第２接続情報は、近距離無線通信で通信される、
請求項５に記載の表示装置の制御方法。
【請求項７】
前記電子機器は、前記第１アクセスポイントと前記第２アクセスポイントとのいずれとも異なる第３アクセスポイントと接続している第３状況において前記第２接続情報を受信する場合、当該第２接続情報を用いて、接続先のアクセスポイントを前記第３アクセスポイントから前記第２アクセスポイントに切り替える、
請求項５または６に記載の表示装置の制御方法。
【請求項８】
前記電子機器は、前記第１アクセスポイントと前記第２アクセスポイントとのいずれとも異なる第３アクセスポイントと接続している第３状況において前記第２接続情報を受信する場合、前記第２アクセスポイントと前記第３アクセスポイントのうち転送速度が速い方のアクセスポイントに接続する、
請求項５または６に記載の表示装置の制御方法。
【請求項９】
前記第２接続情報は、前記第２アクセスポイントの識別情報と、前記第２アクセスポイントと接続するために必要なパスワードと、を含む、
請求項５から８のいずれか１項に記載の表示装置の制御方法。
【請求項１０】
表示装置であって、
電子機器と通信する第１通信部と、
第１アクセスポイントとして動作可能な第２通信部と、
前記第１通信部と前記第２通信部とを制御する制御部と、を含み、
前記制御部は、
前記表示装置がアクセスポイントと接続していない第１状況において、前記第１通信部に、前記第１状況を示す第１状況情報を送信させ、
前記第１状況情報が前記電子機器によって受信されており且つ前記電子機器がアクセスポイントと接続していない状況において、アクセスポイントとして動作することを指示する指示を、前記第１通信部が前記電子機器から受信すると、前記第２通信部を前記第１アクセスポイントとして動作させ、
前記第２通信部が前記第１アクセスポイントとして動作する場合、前記第１通信部に、前記第１アクセスポイントに接続するための第１接続情報を、前記電子機器へ送信させる、
表示装置。
【請求項１１】
前記第１状況情報と、前記指示と、前記第１接続情報とは、近距離無線通信で通信される、
請求項１０に記載の表示装置。
【請求項１２】
前記電子機器は、前記第１接続情報の受信に応じて、前記第１接続情報を用いて前記第１アクセスポイントに接続する、
を含む請求項１０または１１に記載の表示装置。
【請求項１３】
前記第１接続情報は、前記第１アクセスポイントの識別情報と、前記第１アクセスポイントと接続するために必要なパスワードと、を含む、
請求項１０から１２のいずれか１項に記載の表示装置。
【請求項１４】
前記制御部は、前記表示装置が前記第１アクセスポイントとは異なる第２アクセスポイントと接続している第２状況において、前記第１通信部に、前記第２アクセスポイントに接続するための第２接続情報を送信させる、
請求項１０から１３のいずれか１項に記載の表示装置。
【請求項１５】
前記第２接続情報は、近距離無線通信で通信される、
請求項１４に記載の表示装置。
【請求項１６】
前記電子機器は、前記第１アクセスポイントと前記第２アクセスポイントとのいずれとも異なる第３アクセスポイントと接続している第３状況において前記第２接続情報を受信する場合、当該第２接続情報を用いて、接続先のアクセスポイントを前記第３アクセスポイントから前記第２アクセスポイントに切り替える、
請求項１４または１５に記載の表示装置。
【請求項１７】
前記電子機器は、前記第１アクセスポイントと前記第２アクセスポイントとのいずれとも異なる第３アクセスポイントと接続している第３状況において前記第２接続情報を受信する場合、前記第２アクセスポイントと前記第３アクセスポイントのうち転送速度が速い方のアクセスポイントに接続する、
請求項１４または１５に記載の表示装置。
【請求項１８】
前記第２接続情報は、前記第２アクセスポイントの識別情報と、前記第２アクセスポイントと接続するために必要となるパスワードと、を含む、
請求項１４から１７のいずれか１項に記載の表示装置。
【請求項１９】
表示装置と、電子機器と、を含み、
前記表示装置は、前記表示装置がアクセスポイントと接続していない第１状況において、前記第１状況を示す第１状況情報を送信し、
前記電子機器は、前記第１状況情報を受信しており、且つ、アクセスポイントと接続していない状況において、アクセスポイントとして動作することを指示する指示を、前記表示装置に送信し、
前記表示装置は、前記指示の受信に応じて第１アクセスポイントとして動作し、
前記表示装置は、前記第１アクセスポイントとして動作する場合、前記第１アクセスポイントに接続するための第１接続情報を、前記電子機器に送信する、
表示システム。
【請求項２０】
第１の無線ＬＡＮアクセスポイントに接続するための接続情報を前記第１の無線ＬＡＮアクセスポイントとは異なる第２の無線ＬＡＮアクセスポイントと接続している状況で受信する場合に接続先の無線ＬＡＮアクセスポイントを前記第２の無線ＬＡＮアクセスポイントから前記第１の無線ＬＡＮアクセスポイントに切り替える電子機器と、通信する表示装置の制御方法であって、
前記表示装置が前記第１の無線ＬＡＮアクセスポイントと接続している状況において、前記接続情報を送信すること、
を含む表示装置の制御方法。
【発明の詳細な説明】
【技術分野】
【０００１】
本発明は、表示装置の制御方法、表示装置および表示システムに関する。
【背景技術】
【０００２】
特許文献１には、Ｂｌｕｅｔｏｏｔｈ通信と無線ＬＡＮ（Local Area Network）通信の両方を行える機器同士が通信する技術が記載されている。Ｂｌｕｅｔｏｏｔｈは登録商標である。この技術では、一方の機器は、Ｂｌｕｅｔｏｏｔｈ通信で、他方の機器から無線ＬＡＮ通信の各種設定情報を入手し、当該設定情報を用いて他方の機器と無線ＬＡＮ通信を実行する。
【先行技術文献】
【特許文献】
【０００３】
【特許文献１】特開２００４−１１２２２５号公報
【発明の概要】
【発明が解決しようとする課題】
【０００４】
特許文献１に記載の技術は、機器同士で無線ＬＡＮ通信の各種設定をやりとりするための技術である。このため、この技術では、機器が、好ましいアクセスポイントに接続できない可能性があり、この可能性を低減できる技術が望まれる。
【課題を解決するための手段】
【０００５】
本発明に係る表示装置の制御方法の一態様は、前記表示装置がアクセスポイントと接続していない第１状況において、前記第１状況を示す第１状況情報を送信することと、前記第１状況情報が電子機器によって受信されており且つ前記電子機器がアクセスポイントと接続していない状況において、アクセスポイントとして動作することを指示する指示を、前記電子機器から受信することと、前記指示の受信に応じて、第１アクセスポイントとして動作することと、前記第１アクセスポイントとして動作する場合、前記第１アクセスポイントに接続するための第１接続情報を、前記電子機器に送信することと、を含む。
【０００６】
本発明に係る表示装置の一態様は、電子機器と通信する第１通信部と、第１アクセスポイントとして動作可能な第２通信部と、前記第１通信部と前記第２通信部とを制御する制御部と、を含み、前記制御部は、前記表示装置がアクセスポイントと接続していない第１状況において、前記第１通信部に、前記第１状況を示す第１状況情報を送信させ、前記第１状況情報が前記電子機器によって受信されており且つ前記電子機器がアクセスポイントと接続していない状況において、アクセスポイントとして動作することを指示する指示を、前記第１通信部が前記電子機器から受信すると、前記第２通信部を前記第１アクセスポイントとして動作させ、前記第２通信部が前記第１アクセスポイントとして動作する場合、前記第１通信部に、前記第１アクセスポイントに接続するための第１接続情報を、前記電子機器へ送信させる。
【０００７】
本発明に係る表示システムの一態様は、表示装置と、電子機器と、を含み、前記表示装置は、前記表示装置がアクセスポイントと接続していない第１状況において、前記第１状況を示す第１状況情報を送信し、前記電子機器は、前記第１状況情報を受信しており、且つ、アクセスポイントと接続していない状況において、アクセスポイントとして動作することを指示する指示を、前記表示装置に送信し、前記表示装置は、前記指示の受信に応じて第１アクセスポイントとして動作し、前記表示装置は、前記第１アクセスポイントとして動作する場合、前記第１アクセスポイントに接続するための第１接続情報を、前記電子機器に送信する。
【０００８】
本発明に係る表示装置の制御方法の一態様は、第１の無線ＬＡＮアクセスポイントに接続するための接続情報を前記第１の無線ＬＡＮアクセスポイントとは異なる第２の無線ＬＡＮアクセスポイントと接続している状況で受信する場合に接続先の無線ＬＡＮアクセスポイントを前記第２の無線ＬＡＮアクセスポイントから前記第１の無線ＬＡＮアクセスポイントに切り替える電子機器と、通信する表示装置の制御方法であって、前記表示装置が前記第１の無線ＬＡＮアクセスポイントと接続している状況において、前記接続情報を送信すること、を含む。
【図面の簡単な説明】
【０００９】
【図１】第１実施形態に係る表示システムＡの一例を示す図である。
【図２】プロジェクター１の一例を示す図である。
【図３】通信端末２の一例を示す図である。
【図４】投射部１２の一例を示す図である。
【図５】プロジェクター１と通信端末２との両方がアクセスポイントに未接続である状況での表示システムＡの動作を説明するためのシーケンス図である。
【図６】プロジェクター１の情報の表示例Ｇ１を示す図である。
【図７】第２通信部１４が第１アクセスポイントになってプロジェクター１と通信端末２との無線ＬＡＮ通信が確立した状態を示す図である。
【図８】プロジェクター１と通信端末２が別々のアクセスポイントにそれぞれ接続している状況での表示システムＡの動作を説明するためのシーケンス図である。
【図９】プロジェクター１と通信端末２が別々のアクセスポイントにそれぞれ接続している状況を示す図である。
【図１０】プロジェクター１の情報の表示例を示す図である。
【図１１】プロジェクター１と通信端末２の両方が第２アクセスポイント５と無線ＬＡＮ通信を確立した状態を示す図である。
【図１２】プロジェクター１のみがアクセスポイントに接続している状況での表示システムＡの動作を説明するためのシーケンス図である。
【図１３】プロジェクター１のみがアクセスポイントに接続している状況を示す図である。
【図１４】プロジェクター１と通信端末２の両方が第２アクセスポイント５と無線ＬＡＮ通信を確立した状態を示す図である。
【図１５】通信端末２のみがアクセスポイントと接続済みである状況を示す図である。
【図１６】プロジェクター１と通信端末２の両方が第３アクセスポイント６と無線ＬＡＮ通信を確立した状態を示す図である。
【発明を実施するための形態】
【００１０】
＜Ａ：第１実施形態＞
＜Ａ１：表示システムＡの概要＞
図１は、第１実施形態に係る表示システムＡの一例を示す図である。表示システムＡは、プロジェクター１と、通信端末２と、を含む。
プロジェクター１と通信端末２は、Ｂｌｕｅｔｏｏｔｈ通信、さらに言えば、ＢＬＥ（Bluetooth Low Energy）通信で相互に通信できる。具体的には、通信端末２がプロジェクター１のＢＬＥ通信の通信圏Ｒに位置する場合、プロジェクター１と通信端末２は、相互にＢＬＥ通信を実行できる。Ｂｌｕｅｔｏｏｔｈは、登録商標である。ＢＬＥ通信は、近距離無線通信の一例である。なお、近距離無線通信は、Ｂｌｕｅｔｏｏｔｈ通信、さらに言えばＢＬＥ通信に限らず、例えば、赤外線通信、超音波通信、またはＮＦＣ（Near Field Communication）通信等でもよい。本願では、近距離無線通信には、ＷｉＦｉ通信等の無線ＬＡＮ通信は含まれないとする。また、プロジェクター１と通信端末２は、無線ＬＡＮ（Local Area Network）通信で相互に通信可能である。
【００１１】
プロジェクター１は、種々の画像を投射面３に投射する。投射面３は、表示面の一例である。プロジェクター１は、表示装置の一例である。
【００１２】
通信端末２は、例えばスマートフォンまたはタブレット端末等の携帯通信端末である。通信端末２は、利用者に携帯される。通信端末２は、電子機器および電子通信機器の一例である。
【００１３】
＜Ａ２：プロジェクター１の一例＞
図２は、プロジェクター１の一例を示す図である。プロジェクター１は、第１操作部１１と、投射部１２と、第１通信部１３と、第２通信部１４と、第１記憶部１５と、第１制御部１６と、を含む。
【００１４】
第１操作部１１は、例えば、各種の操作ボタン、操作キーまたはタッチパネルである。第１操作部１１は、使用者の入力操作を受け取る。第１操作部１１は、使用者による入力操作に応じた情報を無線または有線で送信するリモートコントローラー等であってもよい。この場合、プロジェクター１は、リモートコントローラーが送信する情報を受信する受信部を備える。リモートコントローラーは、使用者による入力操作を受け取る各種の操作ボタン、操作キーまたはタッチパネルを備える。
【００１５】
投射部１２は、種々の画像を投射面３に投射することによって、当該画像を投射面３に表示する。投射部１２が投射する画像は、例えば、通信端末２または不図示の画像供給装置から供給される画像情報に基づく画像である。不図示の画像供給装置は、例えば、ＰＣ（Personal Computer）またはＤＶＤ（Digital Versatile Disc）プレーヤーである。画像情報は、例えば、第２通信部１４を介して入力される。
【００１６】
第１通信部１３は、ＢＬＥ通信を実行する。例えば、第１通信部１３は、ＢＬＥ通信で通信端末２と直接に通信する。
【００１７】
第２通信部１４は、無線ＬＡＮ通信、さらに言えば、ＷｉＦｉ（Wireless Fidelity）通信を実行する。ＷｉＦｉは、登録商標である。第２通信部１４は、ＷｉＦｉ Ｄｉｒｅｃｔ機能を有する。このため、第２通信部１４は、アクセスポイントとして動作可能である。アクセスポイントは、無線ＬＡＮアクセスポイントを意味する。以下、第２通信部１４が動作可能なアクセスポイントを「第１アクセスポイント」と称する。ＷｉＦｉ Ｄｉｒｅｃｔは、登録商標である。
【００１８】
第１記憶部１５は、例えば、フラッシュメモリーと、ＲＯＭ（Read Only Memory）と、ＲＡＭ（Random Access Memory）と、を含む。第１記憶部１５は、コンピューターが読み取り可能な記録媒体の一例である。第１記憶部１５は、種々の情報と、第１制御部１６の動作を規定するプログラムと、を記憶する。
【００１９】
第１制御部１６は、ＣＰＵ（Central Processing Unit）等のコンピューターである。第１制御部１６は、１または複数の処理装置で構成されてもよい。第１制御部１６は、制御部の一例である。第１制御部１６は、第１記憶部１５に記憶されているプログラムを読み取り実行することにより投射部１２と第１通信部１３と第２通信部１４を制御する。
【００２０】
＜Ａ３：通信端末２の一例＞
図３は、通信端末２の一例を示す図である。通信端末２は、第２操作部２１と、表示部２２と、第３通信部２３と、第４通信部２４と、第２記憶部２５と、第２制御部２６と、を含む。
【００２１】
第２操作部２１は、例えば、各種の操作ボタン、操作キーまたはタッチパネルである。第２操作部２１は、使用者の入力操作を受け取る。
【００２２】
表示部２２は、液晶表示パネルである。なお、表示部２２は、液晶表示パネルに限らず、例えば、有機ＥＬ表示パネルでもよい。
【００２３】
第３通信部２３は、プロジェクター１の第１通信部１３が用いる通信と同じ種類の通信を実行する。本実施形態では、第３通信部２３は、第１通信部１３と同様に、ＢＬＥ通信を実行する。
【００２４】
第４通信部２４は、プロジェクター１の第２通信部１４と通信できる。本実施形態では、第４通信部２４は、ＷｉＦｉ通信を実行する。
【００２５】
第２記憶部２５は、例えば、フラッシュメモリー、ＲＯＭおよびＲＡＭを含む。第２記憶部２５は、コンピューターが読み取り可能な記録媒体の一例である。第２記憶部２５は、種々の情報と、第２制御部２６の動作を規定するプログラムと、を記憶する。
【００２６】
第２制御部２６は、例えばＣＰＵ等のコンピューターである。第２制御部２６は、１または複数の処理装置で構成されてもよい。第２制御部２６は、第２記憶部２５に記憶されているプログラムを読み取り実行することにより、表示部２２と第３通信部２３と第４通信部２４とを制御する。
【００２７】
＜Ａ４：投射部１２の一例＞
図４は、プロジェクター１の投射部１２の一例を示す図である。投射部１２は、画像処理部１２１と、ライトバルブ駆動部１２２と、光源１２３と、赤色用液晶ライトバルブ１２４Ｒと、緑色用液晶ライトバルブ１２４Ｇと、青色用液晶ライトバルブ１２４Ｂと、投射光学系１２５と、を含む。以下、赤色用液晶ライトバルブ１２４Ｒと、緑色用液晶ライトバルブ１２４Ｇと、青色用液晶ライトバルブ１２４Ｂとを相互に区別する必要がない場合、これらを「液晶ライトバルブ１２４」と称する。
【００２８】
画像処理部１２１は、例えばＣＰＵ等のコンピューターである。画像処理部１２１は、１または複数の処理装置で構成されてもよい。画像処理部１２１は、例えば、通信端末２から提供される画像情報に対して画像処理を施すことによって画像信号を生成する。
【００２９】
画像処理部１２１が実行する画像処理は、例えば、解像度変換処理を包含する。解像度変換処理では、画像処理部１２１は、画像情報の解像度を、例えば液晶ライトバルブ１２４の解像度に変換する。画像処理部１２１は、解像度変換処理に加えて、または、解像度変換処理の代わりに、他の画像処理、例えばガンマ補正処理を実行してもよい。
【００３０】
ライトバルブ駆動部１２２は、画像処理部１２１から入力される画像信号に基づいて液晶ライトバルブ１２４を駆動する。
【００３１】
光源１２３は、例えば、ＬＥＤ（Light Emitting Diode）である。なお、光源１２３は、ＬＥＤに限らず、例えば、キセノンランプ、超高圧水銀ランプ、またはレーザー光源等でもよい。光源１２３から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１２４Ｒに入射する。緑色の色光成分は緑色用液晶ライトバルブ１２４Ｇに入射する。青色の色光成分は青色用液晶ライトバルブ１２４Ｂに入射する。
【００３２】
液晶ライトバルブ１２４は、一対の透明基板間に液晶が存在する液晶パネル等によって構成される。液晶ライトバルブ１２４は、マトリクス状に位置する複数の画素１２４ｐを含む矩形の画素領域１２４ａを有する。液晶ライトバルブ１２４では、液晶に対して画素１２４ｐごとに駆動電圧が印加される。ライトバルブ駆動部１２２が、画像信号に基づく駆動電圧を各画素１２４ｐに印加すると、各画素１２４ｐは、駆動電圧に基づく光透過率に設定される。光源１２３から射出される光は、画素領域１２４ａを通ることで変調され画像信号に基づく画像が色光ごとに形成される。液晶ライトバルブ１２４は、光変調装置の一例である。
【００３３】
各色の画像は、図示しない色合成光学系によって画素１２４ｐごとに合成され、カラー画像が生成される。カラー画像は、投射光学系１２５によって投射面３に投射される。
【００３４】
＜Ａ５：動作の説明＞
＜Ａ５−１：プロジェクター１と通信端末２の両方がアクセスポイントに未接続＞
図５は、プロジェクター１と通信端末２との両方がアクセスポイントに未接続である状況での表示システムＡの動作を説明するためのシーケンス図である。
【００３５】
ステップＳ１０１において通信端末２の第２制御部２６は、第３通信部２３を用いてプロジェクター１を探索する。具体的にはステップＳ１０１において第２制御部２６は、ステップＳ１０２においてプロジェクター１が第１通信部１３からＢＬＥ通信で無線送信するアドバタイズ情報を、第１通信部１３に受信させようとする。
【００３６】
プロジェクター１がいずれのアクセスポイントとも接続していない第１状況においては、第１制御部１６は、第１通信部１３に、プロジェクター１の情報と、第１状況を示す第１状況情報と、を含むアドバタイズ情報を、ＢＬＥ通信によりブロードキャストで送信させる。図５では、プロジェクター１の情報を「ＰＪ情報」と示している。
【００３７】
ここで、プロジェクター１の情報は、プロジェクター１がアクセスポイントに接続しているか否かにかかわらず、プロジェクター１の名称を含む。
また、プロジェクター１の情報は、プロジェクター１がアクセスポイントに接続している場合、プロジェクター１と接続しているアクセスポイントのＳＳＩＤ（Service Set Identifier）と、プロジェクター１と接続しているアクセスポイントと接続するために必要なパスワードと、を含む。アクセスポイントのＳＳＩＤは、アクセスポイントの識別情報の一例である。
【００３８】
第１状況、すなわち、プロジェクター１がいずれのアクセスポイントとも接続していない状況において、プロジェクター１のＢＬＥ通信の通信圏Ｒに、通信端末２を携帯する利用者が位置せずに、第３通信部２３がプロジェクター１からブロードキャストで無線送信されるアドバタイズ情報を受信しない場合、第２制御部２６はステップＳ１０１を終了する。
【００３９】
一方、第１状況において、プロジェクター１のＢＬＥ通信の通信圏Ｒに、通信端末２を携帯する利用者が位置すると、プロジェクター１からブロードキャストで無線送信されるアドバタイズ情報が、通信端末２に到達する。通信端末２の第３通信部２３が、プロジェクター１が送信するアドバタイズ情報を受信すると、ステップＳ１０３において第２制御部２６は、プロジェクター１を検出したと判断する。
【００４０】
プロジェクター１が検出されると、ステップＳ１０４において第２制御部２６は、アドバタイズ情報に含まれるプロジェクター１の情報を表示部２２に表示させる。
【００４１】
表示部２２におけるプロジェクター１の情報の表示例Ｇ１を図６に示す。図６は、プロジェクター１の名称が「ＥＢ０１」である場合の表示例を示す。表示部２２には、プロジェクター１の名称である「ＥＢ０１」と共に、プロジェクター１が接続しているアクセスポイントのＳＳＩＤも表示される。なお、図５に示す動作では、プロジェクター１はアクセスポイントに接続されておらず、通信端末２によって第１状況情報が受信されるため、図６に示す例では、プロジェクター１が接続しているアクセスポイントのＳＳＩＤとして「接続なし」が表示される。
【００４２】
続いて、通信端末２を携帯する利用者が、表示部２２に表示された「ＥＢ０１」つまりプロジェクター１を選択する選択操作を第２操作部２１に対して行うと、ステップＳ１０５において第２操作部２１は選択操作を受け取る。
【００４３】
第２操作部２１が選択操作を受け取ると、ステップＳ１０６において第２制御部２６は、選択操作で選択されるプロジェクター１と、通信端末２と、の各々について、アクセスポイントとの接続状態を判断する。
【００４４】
ステップＳ１０６では、第２制御部２６は、プロジェクター１から受信したアドバタイズ情報に第１状況情報が含まれる場合、換言すると、第１状況情報が通信端末２によって受信されている場合、第２制御部２６は、プロジェクター１がアクセスポイントと接続していないと判断する。
さらに、ステップＳ１０６では、第２制御部２６は、第４通信部２４とアクセスポイントとの接続状態に基づいて、通信端末２がアクセスポイントと接続されているか否かを判断する。
【００４５】
図５に示す例では、上述の通り、第１状況情報が通信端末２によって受信されており、且つ、通信端末２がアクセスポイントと接続していない。この場合、第２制御部２６は、プロジェクター１とのＢＬＥ通信のための接続処理を行い、その後、ステップＳ１０７において第３通信部２３にＢＬＥ通信の接続要求をプロジェクター１へ送信させることによって、ステップＳ１０８において通信端末２とプロジェクター１とのＢＬＥ通信を確立する。
【００４６】
続いて、ステップＳ１０９において第２制御部２６は、第３通信部２３に、アクセスポイントとして動作することを指示するアクセスポイント動作指示をＢＬＥ通信でプロジェクター１へ送信させる。アクセスポイント動作指示は、指示の一例である。
【００４７】
プロジェクター１の第１通信部１３が、アクセスポイント動作指示を受信すると、ステップＳ１１０において第１制御部１６は、第２通信部１４を第１アクセスポイントとして動作させる。
なお、プロジェクター１は、第２通信部１４を第１アクセスポイントとして動作させるか否かを動作モードで区別してもよい。例えば、プロジェクター１において、第２通信部１４を第１アクセスポイントとして動作させる動作モードとして第１モードが設けられ、第２通信部１４を第１アクセスポイントとして動作させない動作モードとして第２モードが設けられてもよい。この場合、第１制御部１６は、ステップＳ１１０において動作モードを第２モードから第１モードに切り替える。
【００４８】
続いて、ステップＳ１１１において第１制御部１６は、第１通信部１３に、第１アクセスポイントに接続するための第１アクセスポイント接続情報を、通信端末２へ送信させる。第１アクセスポイント接続情報は、第１アクセスポイントのＳＳＩＤと、第１アクセスポイントと接続するために必要なパスワードと、を含む。第１アクセスポイント接続情報は、第１接続情報の一例である。
【００４９】
通信端末２の第３通信部２３が、第１アクセスポイント接続情報を受信すると、ステップＳ１１２において第２制御部２６は、第１アクセスポイント接続情報を用いて、第４通信部２４の接続先、換言するとＷｉＦｉ通信の接続先を、第１アクセスポイントに設定する。
【００５０】
続いて、ステップＳ１１３において第２制御部２６は、第４通信部２４に、第１アクセスポイント接続情報を含む無線ＬＡＮ通信の接続要求を、プロジェクター１へ送信させる。
【００５１】
プロジェクター１の第２通信部１４、すなわち、第１アクセスポイントが、無線ＬＡＮ通信の接続要求を受信すると、第１制御部１６は、無線ＬＡＮ通信の接続要求に従って、第１アクセスポイントと第４通信部２４との無線ＬＡＮ通信の接続処理を実行する。
【００５２】
第１制御部１６による無線ＬＡＮ通信の接続処理が完了すると、ステップＳ１１４において第１制御部１６は、第２通信部１４つまり第１アクセスポイントに、無線ＬＡＮ接続完了通知を通信端末２へ送信させ、通信端末２の第４通信部２４が、無線ＬＡＮ接続完了通知を受信し、無線ＬＡＮ通信が確立する。図７は、プロジェクター１さらに言えば第２通信部１４が第１アクセスポイントになってプロジェクター１と通信端末２との無線ＬＡＮ通信が確立した状態を示す図である。
【００５３】
本実施形態に係るプロジェクター１およびプロジェクター１の制御方法によれば、第１制御部１６は、第１状況において、第１通信部１３に、第１状況情報を含むアドバタイズ情報を送信させる。
第１状況情報が通信端末２によって受信されており且つ通信端末２がアクセスポイントと接続していない状況において通信端末２から送信されるアクセスポイント動作指示を、第１通信部１３が受信すると、第１制御部１６は、第２通信部１４を第１アクセスポイントとして動作させる。
第１制御部１６は、第２通信部１４を第１アクセスポイントとして動作させる場合、第１通信部１３に、第１アクセスポイント接続情報を、通信端末２へ送信させる。
【００５４】
このため、プロジェクター１と通信端末２の両方がアクセスポイントと接続されていない状況で、プロジェクター１と通信端末２とを無線ＬＡＮ接続する場合、通信端末２を、プロジェクター１の第１アクセスポイントに接続させることが可能になる。この場合、通信端末２は、利用者から第１アクセスポイント接続情報を入力されなくても、第１アクセスポイントと接続できるため、プロジェクター１の第１アクセスポイントは、通信端末２の接続先として、好ましいアクセスポイントとなる。したがって、プロジェクター１と通信端末２の両方がアクセスポイントと接続されていない状況において、通信端末２を、好ましいアクセスポイントに接続させることが可能になる。
【００５５】
第１状況情報と、アクセスポイント動作指示と、第１アクセスポイント接続情報とは、近距離無線通信で通信される。このため、近距離無線通信を使うことによって、アクセスポイントを介する無線ＬＡＮ通信を実現可能になる。
【００５６】
通信端末２は、第１アクセスポイント接続情報の受信に応じて、第１アクセスポイント接続情報を用いて第１アクセスポイントに接続する。このため、プロジェクター１と通信端末２の両方がアクセスポイントと接続されていない状況において、通信端末２を、好ましいアクセスポイントに接続できる。
【００５７】
第１アクセスポイント接続情報は、第１アクセスポイントのＳＳＩＤと、第１アクセスポイントと接続するために必要なパスワードと、を含む。このため、パスワード設定がなされている第１アクセスポイントに対して、通信端末２を接続可能になる。
【００５８】
＜Ａ５−２：プロジェクター１と通信端末２の両方がアクセスポイントに接続済み＞
図８は、プロジェクター１と通信端末２が別々のアクセスポイントにそれぞれ接続している状況での表示システムＡの動作を説明するためのシーケンス図である。図８において、図５に示した処理と同一の処理には同一符号を付してある。
【００５９】
以下では、図９に例示されるように、プロジェクター１が第２アクセスポイント５と接続しており、且つ、通信端末２が第３アクセスポイント６と接続しているとする。第２アクセスポイント５のＳＳＩＤが「ＡＰＸ」であり、第３アクセスポイント６のＳＳＩＤが「ＡＰＹ」であるとする。なお、第２アクセスポイント５は、第１アクセスポイントとは異なり、第３アクセスポイント６は、第１アクセスポイントと第２アクセスポイント５とのいずれとも異なる。以下、図８に示す動作のうち、図５に示した処理と異なる処理を中心に説明する。
【００６０】
プロジェクター１が第２アクセスポイント５と接続している第２状況では、ステップＳ２０１において第１制御部１６は、第１通信部１３に、プロジェクター１の情報と、第２状況を示す第２状況情報と、を含むアドバタイズ情報を、ＢＬＥ通信によりブロードキャストで送信させる。以下、ステップＳ１０３〜ステップＳ１０６が実行される。
【００６１】
ここで、プロジェクター１が第２アクセスポイント５と接続していため、ステップＳ２０１で送信されるプロジェクター１の情報は、第２アクセスポイント５のＳＳＩＤと、第２アクセスポイント５と接続するために必要なパスワードと、を含む。第２アクセスポイント５のＳＳＩＤと、第２アクセスポイント５と接続するために必要なパスワードとは、第２アクセスポイント５に接続するための第２接続情報の一例である。
【００６２】
ステップＳ１０４では、例えば図１０に例示される画面が表示部２２に表示される。ステップＳ１０５では、第２操作部２１は、プロジェクター１を選択する選択操作を受け取るとする。ステップＳ１０６では、第２制御部２６は、第２状況情報が通信端末２によって受信されており、通信端末２が第３アクセスポイント６と接続しているため、プロジェクター１が第２アクセスポイント５と接続しており且つ通信端末２が第３アクセスポイント６と接続されていると判断する。
【００６３】
続いて、第２状況情報が通信端末２によって受信されており、通信端末２が第３アクセスポイント６と接続しているため、ステップＳ２０２において第２制御部２６は、第４通信部２４のＷｉＦｉ通信の接続先の設定を、第３アクセスポイント６から第２アクセスポイント５に切り替える。
【００６４】
続いて、ステップＳ２０３において第２制御部２６は、第４通信部２４に、第２アクセスポイント５のＳＳＩＤと、第２アクセスポイント５と接続するために必要なパスワードと、を含む無線ＬＡＮ通信の接続要求を、第２アクセスポイント５へ送信させる。
【００６５】
第２アクセスポイント５は、通信端末２から無線ＬＡＮ通信の接続要求を受信すると、通信端末２からの無線ＬＡＮ通信の接続要求に従って、第２アクセスポイント５と第４通信部２４との無線ＬＡＮ通信の接続処理を実行する。
【００６６】
第２アクセスポイント５は、通信端末２との無線ＬＡＮ通信の接続処理を完了すると、ステップＳ２０４において、無線ＬＡＮ接続完了通知を通信端末２に送信し、通信端末２の第４通信部２４が、無線ＬＡＮ接続完了通知を受信し、無線ＬＡＮ通信が確立する。図１１は、プロジェクター１と通信端末２の両方が第２アクセスポイント５と無線ＬＡＮ通信を確立した状態を示す図である。
【００６７】
上述の通り、第１制御部１６は、第２状況において、第１通信部１３に、第２アクセスポイント５に接続するための情報を含むアドバタイズ情報を送信させる。
このため、通信端末２は、第１通信部１３が送信するアドバタイズ情報を受信すれば、接続先となるアクセスポイントを、第３アクセスポイント６から、プロジェクター１が接続している第２アクセスポイント５に切り替えることが可能になる。この場合、通信端末２は、利用者から第２アクセスポイント５に接続するための情報を入力されなくても、第２アクセスポイント５と接続できるため、第２アクセスポイント５は、通信端末２の接続先として、好ましいアクセスポイントとなる。したがって、プロジェクター１と通信端末２が別々のアクセスポイントと接続されている状況において、通信端末２を、好ましいアクセスポイントに接続させることが可能になる。なお、第２アクセスポイント５は、第１の無線ＬＡＮアクセスポイントの一例でもあり、第３アクセスポイント６は、第２の無線ＬＡＮアクセスポイントの一例でもある。
【００６８】
第２アクセスポイント５に接続するための情報は、近距離無線通信で通信される。このため、近距離無線通信を使うことによって、アクセスポイントを介する無線ＬＡＮ通信を実現可能になる。
【００６９】
通信端末２は、第３アクセスポイント６と接続している第３状況において、第２アクセスポイント５に接続するための情報を受信する場合、第２アクセスポイント５に接続するための情報を用いて、接続先のアクセスポイントを第３アクセスポイント６から第２アクセスポイント５に切り替える。
このため、プロジェクター１と通信端末２が別々のアクセスポイントと接続されている状況において、通信端末２を、好ましいアクセスポイントに接続できる。
【００７０】
第２アクセスポイント５に接続するための情報は、第２アクセスポイント５のＳＳＩＤと、第２アクセスポイント５と接続するために必要となるパスワードと、を含む。このため、パスワード設定がなされている第２アクセスポイント５に対して、通信端末２を接続可能になる。
【００７１】
＜Ａ５−３：プロジェクター１と通信端末２のうちプロジェクター１のみがアクセスポイントに接続済み＞
図１２は、プロジェクター１と通信端末２のうちプロジェクター１のみがアクセスポイントに接続している状況での表示システムＡの動作を説明するためのシーケンス図である。図１２において、図８に示した処理と同一の処理には同一符号を付してある。
【００７２】
以下では、図１３に例示されるように、プロジェクター１が第２アクセスポイント５と接続しており、且つ、通信端末２がいずれのアクセスポイントにも接続していないとする。以下、図１２に示す動作のうち、図８に示した処理と異なる処理を中心に説明する。
【００７３】
ステップＳ１０６では、第２制御部２６は、第２状況情報が通信端末２によって受信されており、第４通信部２４がいずれのアクセスポイントにも接続していないため、プロジェクター１が第２アクセスポイント５と接続しており且つ通信端末２がいずれのアクセスポイントにも接続されていないと判断する。
【００７４】
続いて、第２状況情報が通信端末２によって受信されており、通信端末２がいずれのアクセスポイントとも接続していないため、ステップＳ３０１において第２制御部２６は、第４通信部２４の接続先を、第２アクセスポイント５に設定する。以下、ステップＳ２０３およびステップＳ２０４が実行される。図１４は、プロジェクター１と通信端末２の両方が第２アクセスポイント５と無線ＬＡＮ通信を確立した状態を示す図である。
【００７５】
上述の通り、通信端末２は、利用者から第２アクセスポイント５に接続するための情報を入力されなくても、第２アクセスポイント５と接続できるため、第２アクセスポイント５は、通信端末２の接続先として、好ましいアクセスポイントとなる。したがって、プロジェクター１と通信端末２のうちプロジェクター１のみがアクセスポイントと接続されている状況において、通信端末２を、好ましいアクセスポイントに接続させることが可能になる。
【００７６】
＜Ａ５−４：プロジェクター１と通信端末２のうち通信端末２のみがアクセスポイントに接続済み＞
図１５に示すように、プロジェクター１と通信端末２のうち通信端末２のみがアクセスポイントと接続済みである場合には、プロジェクター１が接続可能なアクセスポイントは、通信端末２が接続しているアクセスポイントとなる。
このため、通信端末２が接続している第３アクセスポイント６と接続するために必要なパスワードを、利用者が、プロジェクター１に入力することによって、プロジェクター１を第３アクセスポイント６に接続する。図１６は、プロジェクター１と通信端末２の両方が第３アクセスポイント６と無線ＬＡＮ通信を確立した状態を示す図である。
【００７７】
＜Ｂ：変形例＞
第１実施形態において、例えば以下に例示する構成が採用されてもよい。
【００７８】
＜Ｂ１：変形例１＞
第１実施形態において、プロジェクター１は、ＢＬＥ通信で送信する情報を示すＱＲコードを生成し、当該ＱＲコードを不図示のディスプレイに表示してもよい。ＱＲコードは登録商標である。この場合、通信端末２は、プロジェクター１に表示されるＱＲコードを読み取ることで、第１実施形態においてプロジェクター１からＢＬＥ通信で送信されていた情報を受信してもよい。また、通信端末２は、ＢＬＥ通信で送信する情報を示すＱＲコードを生成し、当該ＱＲコードを表示部２２に表示してもよい。この場合、プロジェクター１は、通信端末２に表示されるＱＲコードを読み取ることで、第１実施形態において通信端末２からＢＬＥ通信で送信されていた情報を受信してもよい。なお、ＱＲコードを表示することは、ＱＲコードを表す可視光が送信されることを意味する。
【００７９】
＜Ｂ２：変形例２＞
第１実施形態および変形例１において、光変調装置の一例として液晶ライトバルブ１２４が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合、色分離光学系および色合成光学系に相当する部材は不要である。また、液晶パネルおよびＤＭＤ以外にも、光源１２３が発した光を変調可能な構成は、光変調装置として採用できる。
【００８０】
＜Ｂ３：変形例３＞
第１実施形態および変形例１〜２のいずれかにおいて、第１制御部１６と第２制御部２６と画像処理部１２１の各々は、例えばＦＰＧＡ（field programmable gate array）またはＡＳＩＣ（Application Specific IC）等の電子回路によりハードウェアで実現されてもよい。
【００８１】
＜Ｂ４：変形例４＞
第１実施形態および変形例１〜３のいずれかにおいて、表示装置として、プロジェクター１が用いられるが、表示装置は、液晶表示装置またはＥＬ表示装置のような、直視型の表示装置でもよい。
【００８２】
＜Ｂ５：変形例５＞
第１実施形態および変形例１〜４のいずれかにおいて、通信端末２は、第３アクセスポイント６と接続している第３状況において、第２アクセスポイント５に接続するための第２接続情報を受信する場合、第２アクセスポイント５と第３アクセスポイント６のうち転送速度が速い方のアクセスポイントに接続してもよい。
【００８３】
例えば、通信端末２は、第３アクセスポイント６との接続時に第３アクセスポイント６から第３アクセスポイント６の転送速度を示す情報を受信する。
また、第２アクセスポイント５に接続するための第２接続情報は、第２アクセスポイント５のＳＳＩＤと、第２アクセスポイント５と接続するために必要なパスワードと、第２アクセスポイント５の転送速度を示す情報とを含む。
通信端末２は、第３アクセスポイント６の転送速度を示す情報と、第２アクセスポイント５の転送速度を示す情報と、を用いて、第２アクセスポイント５と第３アクセスポイント６のうち転送速度が速い方のアクセスポイントを特定する。
続いて、通信端末２は、第２アクセスポイント５と第３アクセスポイント６のうち転送速度が速い方のアクセスポイントと接続する。
【符号の説明】
【００８４】
Ａ…表示システム、１…プロジェクター、２…通信端末、３…投射面、５…第２アクセスポイント、６…第３アクセスポイント、１１…第１操作部、１２…投射部、１３…第１通信部、１４…第２通信部、１５…第１記憶部、１６…第１制御部、２１…第２操作部、２２…表示部、２３…第３通信部、２４…第４通信部、２５…第２記憶部、２６…第２制御部。
【図１】
2020096305.tif 000003
【図２】
2020096305.tif 000004
【図３】
2020096305.tif 000005
【図４】
2020096305.tif 000006
【図５】
2020096305.tif 000007
【図６】
2020096305.tif 000008
【図７】
2020096305.tif 000009
【図８】
2020096305.tif 000010
【図９】
2020096305.tif 000011
【図１０】
2020096305.tif 000012
【図１１】
2020096305.tif 000013
【図１２】
2020096305.tif 000014
【図１３】
2020096305.tif 000015
【図１４】
2020096305.tif 000016
【図１５】
2020096305.tif 000017
【図１６】
2020096305.tif 000018